(57)【要約】【課題】簡易な設備で検知し得る安価で精度の高い仕切りカードを用いた紙葉類処理装置を提供する。【解決手段】少なくとも一主面に、これを識別するための券コード情報を記録した一列以上のブロックパターンが印刷されたヘッダカードを用いて紙葉類処理を行う。【選択図】図１
2007079792.tif 000002
【特許請求の範囲】
【請求項１】
作業単位毎に集積した紙葉類と、カードの種類を表す券コード情報が記録された仕切りカードとを重ねた１バッチ分の被処理媒体を、１または複数バッチ重ねて投入する投入部と、
前記被処理媒体を前記投入部から取り出す取り出し部と、
前記被処理媒体の透過画像情報を検知する透過画像検知部、及び前記被処理媒体の反射画像情報を検知する反射画像検知部を含む検知部と、
前記検知部からの前記被処理媒体の検知情報を処理する検知情報処理部と、
前記透過あるいは反射画像検知部からの検知信号を用いて前記仕切りカードの券コード情報を認識する券コード認識部と、
前記検知情報処理部における処理結果に基づいて前記紙葉類を集積する集積部と、
前記検知情報処理部おける処理結果に基づいて前記集積部に集積されない紙葉類、及び前記検知情報処理部おける判別結果に基づいて券コード情報が認識された仕切りカードを集積する排除部とを具備する紙葉類処理装置であって、
前記仕切りカードは、少なくとも一主面に、前記仕切りカードを識別するための券コード情報を記録した一列以上のブロックパターンが印刷されていることを特徴とする紙葉類処理装置。
【請求項２】
前記仕切りカードは、前記投入部において取り出し方向先端に配置され、前記紙葉類の識別情報が記録されたヘッダカードであることを特徴とする請求項１に記載の紙葉類処理装置。
【請求項３】
前記ブロックパターンは、一列のパターン中に１以上のブロックを有することを特徴とする請求項１または２に記載の紙葉類処理装置。
【請求項４】
前記仕切りカードは、被処理媒体を目視するための検出孔が設けられていることを特徴とする請求項１ないし３のいずれか１項に記載の紙葉類処理装置。
【請求項５】
前記仕切りカードは、その一表面に、正逆および表裏を区別するための印字がさらに設けられることを特徴とする請求項１ないし４のいずれか１項に記載の紙葉類処理装置。
【請求項６】
前記ブロックパターンは、その一辺の長さが前記反射あるいは透過画像検知部の読取ピッチの２倍以上であることを特徴とする請求項１ないし５のいずれか１項に記載の紙葉類処理装置。
【請求項７】
前記仕切りカードは、前記反射あるいは透過画像検知部により検知された画像における位置を特定するためのターゲットマークが設けられていることを特徴とする請求項１ないし６のいずれか１項に記載の紙葉類処理装置。
【請求項８】
前記仕切りカードは長方形であり、前記検出孔は、その幅方向の中心線に対して線対称、かつ中心点に対して点対称に設けられ、前記仕切りカードを複数枚重ねた場合に正逆裏表に関らず全て重なり合うことを特徴とする請求項４に記載の紙葉類処理装置。
【請求項９】
前記仕切りカードは、その両主面に、前記ブロックパターン、及び前記ターゲットマークの組み合わせが各２組、合計４組配置されていることを特徴とする請求項１ないし８のいずれか１項に記載の紙葉類処理装置。
【請求項１０】
前記仕切りカードは、前記ヘッダカードと、前記投入部において搬送方向終端に配置されるトレーラカードとの組み合わせであることを特徴とする請求項１ないし９のいずれか１項に記載の紙葉類処理装置。
【請求項１１】
前記紙葉類の識別情報はバーコード印刷され、バーコードの表す数字は、バーコードの近傍に正位置および逆位置の２種類の方向で印字されることを特徴とする請求項２に記載の紙葉類処理装置。
【請求項１２】
作業単位毎に集積した紙葉類と、仕切りカードとを重ねた１バッチ分の被処理媒体を、１または複数バッチ重ねて投入部に投入し、前記被処理媒体の処理を行う紙葉類処理装置に用いられ、カード基材と、前記カード基材の少なくとも一主面に設けられ、前記紙葉類の識別情報を記録したバーコード、及び仕切りカードを識別するための券コード情報を記録した一列以上のブロックパターンとを具備することを特徴とするヘッダカード。
【請求項１３】
前記ブロックパターンは、一列のパターン中に２以上のブロックを有することを特徴とする請求項１２に記載のヘッダカード。
【請求項１４】
前記被処理媒体を目視するための検出孔が設けられていることを特徴とする請求項１２または１３に記載のヘッダカード。
【請求項１５】
その一表面に、正逆および表裏を区別するための印字がさらに設けられることを特徴とする請求項１２ないし１４のいずれか１項に記載のヘッダカード。
【請求項１６】
前記ブロックパターンは、前記反射あるいは透過画像検知部により読み取り可能であり、そのその一辺の長さが読取ピッチの２倍以上であることを特徴とする請求項１２ないし１５のいずれか１項に記載のヘッダカード。
【請求項１７】
前記反射あるいは透過画像検知部により読み取り可能であり、検知された画像における位置を特定するためのターゲットマークが設けられていることを特徴とする請求項１２ないし１６のいずれか１項に記載のヘッダカード。
【請求項１８】
その形状が長方形であり、前記検出孔は、幅方向の中心線に対して線対称、かつ中心点に対して点対称に設けられ、これを複数枚重ねた場合に正逆裏表に関らず全て重なり合うことを特徴とする請求項１４に記載のヘッダカード。
【請求項１９】
その両主面に、前記ブロックパターン、及び前記ターゲットマークの組み合わせが各２組、合計４組配置されていることを特徴とする請求項１２ないし１８のいずれか１項に記載のヘッダカード。
【請求項２０】
前記紙葉類の識別情報はバーコード印刷され、バーコードの表す数字は、バーコードの近傍に正位置および逆位置の２種類の方向で印字されることを特徴とする請求項１２ないし１９のいずれか１項に記載のヘッダカード。
【発明の詳細な説明】
【技術分野】
【０００１】
本発明は、例えば紙幣等を判別処理する紙葉類処理技術に係り、特に、取り扱う紙葉類を区分するための情報及びカードの種類等が記録されたヘッダカード、及びこれを用いた紙葉類処理装置に関する。
【背景技術】
【０００２】
従来、紙葉類処理装置に於いては、紙葉類の種々の特徴量を検知するための複数の検知手段が具備され、それぞれの検知手段の検知結果から紙葉類の種類(券種)、方向、真偽、汚損度等の判定を行っている。例えば紙葉類の印字模様や図柄を磁性検知手段で読み取り、予め登録した磁性パターンとの類似性を比較することにより、当該紙葉類の券種、方向を決定し、さらに磁性反応の強弱情報も加味して真偽の判定を行っている。
【０００３】
紙葉類処理装置の中には、検知対象となる紙葉類として異なるカテゴリに属する媒体を取り扱う場合がある。例えば有価証券とその有価証券をある単位に分離するための仕切りカード例えばヘッダカードを同時に取り扱うヘッダカード処理システムがあげられる（例えば、下記特許文献１参照）。例えば銀行券のヘッダカード処理システムにおいては、1顧客からの入金を1バッチという作業単位にしている。ヘッダカードの読取り率も有価証券並みの精度が求められる。
【０００４】
このヘッダカードには、紙葉類の識別情報、例えば顧客情報等を表すバーコードに加えて、ヘッダカードであることを示す磁気情報が印刷されている。ヘッダカード処理システムにおいて、紙葉類処理装置内では少なくとも上記ヘッダカードであることを示す磁気情報を認識すれば良いため、紙葉類処理装置に設けられた検知手段で容易に検知し得るように、磁気情報を磁気インクを用いて印刷している。
【０００５】
しかしながら、この磁気インクは、特殊なインクであり、安価な汎用のプリンタ等では容易に印刷できず、これを印刷するには高コストな磁気インク印刷設備が必要であった。また、磁気インク自体もまた、通常の印刷インクに比べて高価であった。
【特許文献１】特表２０００−５０３９５６号公報
【発明の開示】
【発明が解決しようとする課題】
【０００６】
本発明は、上記事情を鑑みて成されたものであり、紙葉類処理装置に使用され、簡易な設備で検知し得る安価で精度の高いヘッダカードを提供することを目的とする。
【０００７】
本発明は、簡易な設備で検知し得る安価で精度の高い仕切りカードを用いた紙葉類処理装置を提供することを目的とする。
【課題を解決するための手段】
【０００８】
本発明の紙葉類処理装置は、  作業単位毎に集積した紙葉類と、カードの種類を表す券コード情報が記録された仕切りカードとを重ねた１バッチ分の被処理媒体を、１または複数バッチ重ねて投入する投入部と、
前記被処理媒体を前記投入部から取り出す取り出し部と、
前記被処理媒体の透過画像情報を検知する透過画像検知部、及び前記被処理媒体の反射画像情報を検知する反射画像検知部を含む検知部と、
前記検知部からの前記被処理媒体の検知情報を処理する検知情報処理部と、
前記透過あるいは反射画像検知部からの検知信号を用いて前記仕切りカードの券コード情報を認識する券コード認識部と、
前記検知情報処理部における処理結果に基づいて前記紙葉類を集積する集積部と、
前記検知情報処理部おける処理結果に基づいて前記集積部に集積されない紙葉類、及び前記検知情報処理部おける判別結果に基づいて券コード情報が認識された仕切りカードを集積する排除部とを具備する紙葉類処理装置であって、
前記仕切りカードは、少なくとも一主面に、前記仕切りカードを識別するための券コード情報を記録した一列以上のブロックパターンが印刷されていることを特徴とする。
【０００９】
また、本発明のヘッダカードは、作業単位毎に集積した紙葉類と、仕切りカードとを重ねた１バッチ分の被処理媒体を、１または複数バッチ重ねて投入部に投入し、前記被処理媒体の処理を行う紙葉類処理装置に用いられ、カード基材と、前記カード基材の少なくとも一主面に設けられ、前記紙葉類の識別情報を記録したバーコード、及び仕切りカードを識別するための券コード情報を記録した一列以上のブロックパターンとを具備することを特徴とする。
【発明の効果】
【００１０】
本発明によれば、ヘッダカード上に券コード情報を示すブロックパターンを印刷することで、高価な磁気インクとプリンタを使わずに紙葉類の処理が可能であり、コストを抑えることができる。
【発明を実施するための最良の形態】
【００１１】
図１及び図２に、本発明に使用される仕切りカードとして、上記銀行券処理装置用のヘッダカードの一例を表す正面図を示す。図１はこのヘッダカードの表面、図２は図１に示すカードの裏面を各々示す。
【００１２】
図示するように、この長方形のヘッダカード４０１は、その両主面に、その中央の領域に紙葉類を識別するための情報を記録したバーコード４０４が印刷されており、その上下には、バーコードの表す数字４０５が、正位置及び逆位置に印字されている。また、バーコード４０４の両側に、仕切りカードを識別するための券コード情報を記録した一対のブロックパターン４０２，４０８が、カード中心点に対して点対称になるように設けられている。
【００１３】
例えばブロックパターン４０２，４０８は、図示するように、１列が４ブロックで構成され、合計２列で券コードを表している。
【００１４】
例えば１列目(上位４ｂｉｔとする)で被処理媒体の種類例えばヘッダカード、トレーラカード、模擬券、あるいは国等を表し、２列目(下位４ｂｉｔとする)で模擬券の額面を表すことができる。
【００１５】
また、この３列目及び４列目のブロックパターンは、上記１列目及び２列目のブロックパターンに対し、カード中心点に対して点対称のパターンを有し、これにより、このヘッダカードの上下表裏が逆であっても同じパターンとなる。
【００１６】
１ブロックの寸法は、長方形を有し、例えば幅５ｍｍないし５０ｍｍ、好ましくは５ｍｍないし１０ｍｍ、また、長さは例えば１０ないし５０ｍｍであり、好ましくは１０ないし２０ｍｍにすることができる。
【００１７】
また、この寸法は、好ましくは透過画像検知部あるいは反射画像検知部の読み取りピッチの２倍以上、より好ましくは２ないし１０倍である。これにより、ブロックパターンの寸法は、読み取りピッチよりも十分粗くなる。また、搬送ムラになどによりスキューが発生しても読み取りエラーが発生しない程度に広い寸法が得られる。
【００１８】
また、バーコードの４隅近傍には、被処理媒体を目視するための検出孔４０６が例えば１つずつ合計４つ、その幅方向の中心線に対して線対称、かつ中心点に対して点対称で、これを複数枚重ねた場合に正逆裏表に関らず全て重なり合うように設けられている。
【００１９】
さらに、ブロックパターン４０２，４０８近傍には、それぞれ例えば３つずつのターゲットマーク４０３が、カード中心点に対して点対称になるように合計６つ設けられている。
【００２０】
バーコード４０４が設けられたカード中央部の背景は白色であることが好ましい。また、それ以外のカード表面の色もまた、オペレータ及び判別ユニットの検知部で、他の被処理媒体と区別しやすい色にすることができる。
【００２１】
加えて、ヘッダカード４０１の表側には、正逆および表裏を区別するための印字４０７が設けられている。
【００２２】
また、図３及び図４に、本発明に使用される仕切りカードとして、上記銀行券処理装置用のトレーラカードの一例を表す正面図を示す。図３はこのトレーラカードの表面、図４は図３に示すカードの裏面を各々示す。
【００２３】
図示するように、この長方形のトレーラーカード５０１は、その両主面に、バーコードがないこと以外は図１及び図２と同様に、ブロックパターン５０２，５０８、検出孔５０４、ターゲットマーク５０３、及び正逆および表裏を区別するための印字５０５が設けられている。但し、ブロックパターン５０２，５０８及び正逆および表裏を区別するための印字５０５の形状は異なる。
【００２４】
このトレーラカードは、上記図１及び図２に示すヘッダカードと組み合わせて好適に使用し得る。
【００２５】
下記表１には券コードの設定例を示す。
【表１】
2007079792.tif 000003
【００２６】
また、図５及び図６に、本発明に使用されるヘッダカードの他の一例を表す正面図を示す。図５はこのヘッダカードの表面、図６は図５に示すカードの裏面を各々示す。
【００２７】
図示するように、この長方形のヘッダカード６０１は、その両主面に、その中央の領域に紙葉類を識別するための情報を記録したバーコード６０４が印刷されており、その上下には、バーコードの表す数字６０５が、正位置及び逆位置に印字されている。また、バーコード６０４の両側に、仕切りカードを識別するための券コード情報を記録した一対のブロックパターン６０２，６０８が、カード中心点に対して点対称になるように設けられている。
【００２８】
例えばブロックパターン６０２，６０８は、図示するように、１列７ブロックで構成され、券コードを表している。
【００２９】
また、このブロックパターン６０２は、ブロックパターン６０８に対し、カード中心点に対して点対称のパターンを有し、これにより、このヘッダカードの上下表裏が逆であっても同じパターンとなる。
【００３０】
１ブロックの寸法は、好ましくは透過画像検知部あるいは反射画像検知部の読み取りピッチの２倍以上、より好ましくは２ないし１０倍である。これにより、ブロックパターンの寸法は、読み取りピッチよりも十分粗くなる。また、搬送ムラになどによりスキューが発生しても読み取りエラーが発生しない程度に広い寸法が得られる。
【００３１】
また、バーコードの４隅近傍には、被処理媒体を目視するための検出孔６０６が例えば１つずつ合計４つ、その幅方向の中心線に対して線対称、かつ中心点に対して点対称で、これを複数枚重ねた場合に正逆裏表に関らず全て重なり合うように設けられている。
【００３２】
バーコード６０４が設けられたカード中央部の背景は白色であることが好ましい。また、それ以外のカード表面の色もまた、オペレータ及び判別ユニットの検知部で、他の被処理媒体と区別しやすい色にすることができる。
【００３３】
加えて、ヘッダカード６０１の表側には、正逆および表裏を区別するための印字例えば「ＦＲＯＮＴ」が設けられている。
【００３４】
また、図７及び図８に、本発明に使用される仕切りカードとして、上記銀行券処理装置用のトレーラカードの一例を表す正面図を示す。図７はこのトレーラカードの表面、図８は図７に示すカードの裏面を各々示す。
【００３５】
図示するように、この長方形のトレーラーカード７０１は、その両主面に、バーコードがないこと以外は図７及び図８と同様に、ブロックパターン７０２，７０８、検出孔７０６、ターゲットマーク７０３、及び正逆および表裏を区別するための印字が設けられている。但し、ブロックパターン７０２，７０８形状は異なる。
【００３６】
このトレーラカードは、上記図５及び図６に示すヘッダカードと組み合わせて好適に使用し得る。
【００３７】
下記表２には券コードの設定例を示す。
【表２】
2007079792.tif 000004
【００３８】
以下、図面を参照し、本発明の一実施例について説明する。
【００３９】
図９は、本発明に係る紙葉類処理装置の一例として、例えば、複数の銀行から送られた銀行券（紙葉類）を検査して再使用のため結束する銀行券処理装置１（以下、単に処理装置１と称する）の概略構成図を示す。
【００４０】
処理装置１は、後述するヘッダカード（仕切カード）を間に挟んだ集積状態の複数枚の銀行券を投入する投入部２を有する。ヘッダカードの表面および裏面には、そのカードに固有の機械読み可能な識別記号として全く同じブロックパターンがそれぞれ印刷されている。尚、ヘッダカードの厚さは、銀行券との識別を容易にするため、銀行券の厚さと異ならせてある。
【００４１】
処理装置１に銀行券を投入する前段の処理として、１処理単位（以下、バッチと称する）、例えば銀行の各支店から送られた１まとまりの同一金種の集積状態の銀行券の上に、上記１枚のヘッダカードを集積し、その上に次のバッチの銀行券およびヘッダカードを集積する。各バッチの銀行券の枚数は同じとは限らない。このようにして、処理装置１に１回に投入可能なバッチ数の銀行券およびヘッダカードが集積される。このとき、各バッチ毎に挿入したヘッダカードのバーコードに関連付けて、オペレータによって、各バッチの銀行券に関するデータとして、銀行名、支店名、銀行券の金種、枚数等が入力される。このようにして前処理時に入力されたバッチデータは、後段の処理装置１による計数結果との照合に用いられる。
【００４２】
投入部２の上端には、投入部２に投入された銀行券或いはヘッダカード（以下、総称して被処理媒体とする場合もある）をその上端のものから１枚ずつ取り出す取り出し部３が設けられている。取り出し部３は、最上端の被処理媒体に転接して負圧を生じつつ回転する吸着ローラ３ａを有する。吸着ローラ３ａは、例えば１回転する毎に１枚の被処理媒体を取り出すように形成され、被処理媒体を所定のピッチで取り出すようになっている。
【００４３】
取り出し部３の下流側には、吸着ローラ３ａによって吸着されて取り出された被処理媒体を処理装置１内を通して搬送する搬送路４が延設されている。搬送路４上には、図示しない搬送ベルトや駆動プーリが配設され、図示しない駆動モータによって搬送ベルトを走行させることにより被処理媒体を搬送路４を介して一定速度で搬送させるようになっている。
【００４４】
取り出し部３から延びた搬送路４上には、搬送路４を介して搬送されている被処理媒体の特徴を検知し、判別するための判別ユニット５が設けられている。
【００４５】
判別ユニット５の下流側の搬送路４上には、６つのゲートＧ1〜Ｇ6が順次配設されている。各ゲートＧ１〜Ｇ６は、判別ユニット５における検出結果に基づいて図示しない制御部による制御に従って切換えられ、当該被処理媒体を所定の処理部へ指向する。
【００４６】
判別ユニット５の直後に配設されたゲートＧ1は、搬送路４を排除搬送路４ａに分岐する位置に設けられ、判別ユニット５を介して正規の銀行券ではないことが検出された排除券やヘッダカードを排除搬送路４ａへ分岐するように切換えられる。排除搬送路４ａの終端には、取り出し部３にて取り出した姿勢のまま、すなわち表裏を反転しないで、排除券やヘッダカードをその取り出し、順序を変えずに集積する排除集積部８（排除部）が設けられている。例えば、投入部２に表面を上にして投入されて取り出されたヘッダカードは、表面を上にして排除集積部８に集積される。排除集積部８には、この他に、銀行券を重ね取りしたもの、銀行券とヘッダカードを重ね取りしたもの、ヘッダカードを重ね取りしたものなどが集積される。
【００４７】
また、ゲートＧ１の下流側の搬送路４に沿って設けられたゲートＧ２〜Ｇ５によって分岐された位置には、それぞれ第１乃至第４の集積・結束部９ａ〜９ｄ（集積部）（以下、必要に応じて、総称して集積・結束部９とする）が配設されている。集積・結束部９には、ゲートＧ1を介して導かれた排除券以外の銀行券のうち再使用可能な正券だけが集積されて結束される。例えば、第１および第２の集積・結束部９ａ、９ｂには、表面を上にした正券が１００枚ずつ集積されて結束され、第３および第４の集積・結束部９ｃ、９ｄには、裏面を上にした正券が１００枚ずつ集積されて結束される。集積・結束部９で結束された正券は、図示しないコンベア等によって機外へ排出されて再使用に供される。
【００４８】
最も下流側に配設されたゲートＧ６によって搬送路４から分岐された位置には、ゲートＧ1を介して導かれた排除券以外の銀行券のうち、集積・結束部９へ集積されなかった損券、すなわち正規の銀行券ではあるが汚棄損等の理由によって再使用不可能と判断された銀行券を裁断して失効させた後収納する裁断部１０が配設されている。
【００４９】
紙葉類処理装置の判別ユニットの構成例を説明するための図を図１０に示す。
【００５０】
被処理媒体となる紙葉類１１０は、搬送路４に沿って、一対の搬送ローラ１３０，１３１により判別ユニット５内に導入される。搬送路上には、上流から、紙葉類１１０の透過画像情報を検知する透過画像検知部１４０と、紙葉類１１０の上面の反射画像情報を検知する上面反射画像検知部１５０と、紙葉類１１０の下面の反射画像情報を検知する下面反射画像検知部１６０と、紙葉類１１０の磁気印刷特性を検知する磁気検知部１７０と、紙葉類１１０からの蛍光発光特徴量を検知する蛍光検知部１８０と、紙葉類１１０の厚さを検知する厚さ検知部１９０とが設置されている。また判別ユニット５の上方部には、上記各検知部と接続され、上記各検知部からの検知情報を処理する検知情報処理部２００が設置されている。
【００５１】
検知情報処理部２００の機能ブロック図を図１１に示す。
【００５２】
図１１において、透過画像検知部１４０、上面反射画像検知部１５０、下面反射画像検知部１６０、磁気検知部１７０、蛍光検知部１８０、及び厚さ検知部１９０は、それぞれ図４の検知部を示す。透過画像検知部１４０、上面反射画像検知部１５０、下面反射画像検知部１６０は、例えばＬＥＤアレイを発光部とし、フォトダイオードアレイ、アモルファスシリコンセンサーアレイ、またはＣＣＤ（Charge Coupled Device）を受光部とした１次元画像読み取りセンサで、ＬＥＤには用途により可視光や近赤外光が使用される。磁気検知部１７０は例えば磁気ヘッドのようなセンサで、コア材の一次側に直流バイアス電流を印加し、磁性材料がヘッド部を通過したときのフラックスの変化を二次側コイルで検出するようなセンサを示す。また蛍光検知部１８０は、発光部を紫外線発光ランプとし、媒体から発せられる励起光をフォトダイオードを受光部としたスポット視野で検出するセンサである。厚さ検知部１９０は、被処理媒体を二本のローラで挟み、片側のローラまたはそれを支持するシャフトの変動量を変位センサ等で電気信号に変換するものである。
【００５３】
それぞれのセンサからの検知データは、演算増幅器等のアナログ処理回路２０１〜２０６を経て信号成分の増幅／加工が行われ、６系統のアナログ信号をアナログマルチプレクサ２０７にて１系統のアナログ信号に時分割した後、アナログ／ディジタル変換回路２１０で例えば８ビットのディジタルデータに変換される。なお、図１０に示す例では、アナログ／ディジタル変換回路を１回路とするためにアナログマルチプレクサ２０７でアナログ信号を１系統に時分割したが、システムの組み方やハードウェアの条件により、すべての検知信号をそれぞれ独立してアナログ／ディジタル変換しても、本発明の効果になんら影響を与えるものでは無い。
【００５４】
次に、ディジタル信号に変換された検知データは、続く前処理回路２２０でそれぞれの検知内容に従った前処理例えば空間微分や、平均化等を施され、データ記憶部２３０に記憶される。検知ブロック２４０は、マイクロコンピュータに代表される処理演算部で、上記データ記憶部２３０から検知データを順次読み出し、被処理媒体である紙葉類１１０の種類、方向、真偽、及び汚損度等の判定を行う。
【００５５】
メイン制御部２５０は、同様にマイクロコンピュータに代表される処理演算部で、上記検知ブロック２４０での演算結果を上位の装置、例えば紙葉類処理装置の機構制御部等に通知する。機構制御部では判別ユニット５からの種類、方向、真偽、及び汚損度情報に基づいて、図示しない搬送路切替部の切り替えを行い、紙葉類１１０が格納されるべき集積庫へ搬送されるよう制御する。
【００５６】
次に、上記紙葉類処理装置の検知ブロック２４０において、透過画像検知部１４０、上面反射画像検知部１５０、または下面反射画像検知部１６０にて検知された画像を用い、図１及び図２に示すヘッダカード及び図３及び図４に示すトレーラカード上に低密度に印刷されたブロックパターンが示す券コードを読取る券種検知処理方法について具体的に述べる。
【００５７】
図１及び図２に示すヘッダカード、及び図３及び図４に示すトレーラカードを用いた場合の券コードの読み取りを行うための券種検知処理の一例のフローチャートを図１２に示す。
【００５８】
まず、データ記憶部から画像を読み出し（Ｓ１）、長手方向および短手方向の射影を求め、閾値を越えた位置を被処理媒体の例えば左端、上端、及び下端として検出する（Ｓ２）（Ｓ３）。３つの被処理媒体端部が検出できた場合は、３０４のターゲットマーク検出を行い、被処理媒体端部から一定範囲の領域の射影を長手方向および短手方向に対して求め、射影パターンの特徴が合致する位置をターゲットマークの位置とする。被処理媒体端部が1つでも検出できなかった場合は、画像端から一定範囲の領域の射影を求め、射影パターンの特徴が合致する位置をターゲットマークの位置とする（Ｓ４）。
【００５９】
ターゲットマークが検出できた場合、券コード認識を行う（Ｓ５）。ターゲットマークの位置から、券コードを示すブロック列の位置が分かるため、例えば1列目すなわちカードの外側のブロックの列の中央１／３程度を長手方向に射影を取り、４つのブロックの中央付近が数画素にわたり連続して閾値より大きければ黒、小さければ背景色とみなし、４ｂｉｔのコードを読み取る。２列目すなわちカードの内側のブロックの列に関しても同様の処理を行い、４ｂｉｔのコードを読み取り、２列分のコードをまとめて８ｂｉｔの券コードとする。読み取った券コードがヘッダカードか判定する（Ｓ６）。ヘッダカードである場合、ヘッダカード検知を特定する（Ｓ７）。ヘッダカードでないことを認識した場合は、読み取った券コードがトレーラカードか判定する（Ｓ８）。トレーラカードであることを認識した場合は、トレーラカード検知を特定する（Ｓ９）。トレーラカードでないことを認識した場合は、読み取った券コードが模擬券か判定する（Ｓ１０）。模擬券であることを認識した場合は、模擬券検知を特定する（Ｓ１１）。模擬券でないことを認識した場合、及びステップ４でターゲットマークが検出できなかった場合は、ヘッダカード、トレーラカード、及び模擬券等の券コードが記載された券ではないとみなし、有価証券の検知処理を行い、券種を特定する（Ｓ１２）。券種が特定できなかった場合は、「該当なし」の券種とする。
【００６０】
このようにして得られた券種検知結果を、検知ブロック２４０からメイン制御部２５０に出力し、当該券の搬送先の切替やシステムの動作の決定などに使用される（Ｓ１３）。
【００６１】
このようなヘッダカードシステムを用いた紙葉類処理装置を用いると、ヘッダカード上に券コード情報を示すブロックパターンを印刷しておくことで、高価な磁気インクとプリンタを使わずにシステムを実現でき、コストを抑えられる。また、パターンを十分に大きくしておくことで、紙葉類の判別に使用される低解像度のイメージセンサを利用して、ヘッダカードを認識することができ、さらに、搬送ムラに起因するスキューやスライドに強いシステムを構築することができる。
【００６２】
また、ヘッダカードとは別の券コードと調整用チャートを持たせた模擬券を別途作成することも可能であり、判別ユニットがこの模擬券を検知した場合は、読み取り結果をセンサ、または検知パラメータの調整に利用でき、この場合でも、模擬券の種類や券種を低解像度のイメージセンサを利用して認識できるため、装置の動作モードを切替えずに調整できる。
【００６３】
次に、図５及び図６に示すヘッダカード、及び図７及び図８に示すトレーラカードを用いた場合の券コードの読み取りを行うための券種検知処理の他の一例のフローチャートを図１３に示す。
【００６４】
まず、データ記憶部から画像を読み出し（Ｓ１４）、長手方向および短手方向の射影を求め、閾値を越えた位置を被処理媒体の例えば左端、上端、及び下端として検出する（Ｓ１５）（Ｓ１６）。
【００６５】
次に、券コード認識を行う（Ｓ１７）。券の端点から、券コードを示すブロック列の位置が分かるため、例えば1列目すなわちカードの外側のブロックの列の中央１／３程度を長手方向に射影を取り、７つのブロックの中央付近が数画素にわたり連続して閾値より大きければ黒、小さければ背景色とみなし、７ｂｉｔのコードを読み取る。２列目すなわちカードの内側のブロック列に関しても同様の処理を行い、７ｂｉｔのコードを読み取り、２列分のコードをまとめて１４ｂｉｔの券コードとする。読み取った券コードがヘッダカードか判定する（Ｓ１８）。ヘッダカードである場合、ヘッダカード検知を特定する（Ｓ１９）。ヘッダカードでないことを認識した場合は、読み取った券コードがトレーラカードか判定する（Ｓ２０）。トレーラカードであることを認識した場合は、トレーラカード検知を特定する（Ｓ２１）。トレーラカードでないことを認識した場合は、読み取った券コードが模擬券か判定する（Ｓ２２）。模擬券であることを認識した場合は、模擬券検知を特定
する（Ｓ２３）。模擬券でないことを認識した場合、ヘッダカード、トレーラカード、及び模擬券等の券コードが記載された券ではないとみなし、有価証券の検知処理を行い（Ｓ２４）、券種を特定して券種検知結果を出力する（Ｓ２５）。
【００６６】
券種が特定できなかった場合は、「該当なし」の券種とする。
【図面の簡単な説明】
【００６７】
【図１】本発明に使用されるヘッダカードの一例の表側を表す正面図
【図２】本発明に使用されるヘッダカードの一例の裏側を表す正面図
【図３】本発明に使用されるトレーラカードの一例の表側を表す正面図
【図４】本発明に使用されるトレーラカードの一例の裏側を表す正面図
【図５】本発明に使用されるヘッダカードの他の一例の表側を表す正面図
【図６】本発明に使用されるヘッダカードの他の一例の裏側を表す正面図
【図７】本発明に使用されるトレーラカードの他の一例の表側を表す正面図
【図８】本発明に使用されるトレーラカードの他の一例の裏側を表す正面図
【図９】本発明に係る紙葉類処理装置の一例の概略構成を表す図
【図１０】図９に示す装置に使用される判別ユニットの構成例を説明するための図
【図１１】図１０に示す検知情報処理部の機能ブロック図
【図１２】本発明に使用される券種検知処理の一例のフローチャート図
【図１３】本発明に使用される券種検知処理の他の一例のフローチャート図
【符号の説明】
【００６８】
１…銀行券処理装置、２…投入部、３…取り出し部、３ａ…吸着ローラ、４…搬送路、５…判別ユニット、６ａ、６ｂ…画像読取装置、７…厚み検査部、８…排除集積部、９ａ、９ｂ、９ｃ、９ｄ…第１ないし第４の集積・結束部、１０…裁断部、１１０…紙葉類、１４０…透過画像検知部、１５０…上面反射画像検知部、１６０…下面反射画像検知部、２００…検知情報処理部、４０１，６０１…ヘッダカード、４０２，４０８，５０２，５０８，６０２，６０８，７０２，７０８，…ブロックパターン、４０３，５０３…ターゲットマーク、４０４，６０４…バーコード、４０６，５０４，６０６，７０６…検出孔、４０７，５０５…印字、５０１，７０１…トレーラカード、Ｇ１〜Ｇ６…ゲート
【図１】
2007079792.tif 000005
【図２】
2007079792.tif 000006
【図３】
2007079792.tif 000007
【図４】
2007079792.tif 000008
【図５】
2007079792.tif 000009
【図６】
2007079792.tif 000010
【図７】
2007079792.tif 000011
【図８】
2007079792.tif 000012
【図９】
2007079792.tif 000013
【図１０】
2007079792.tif 000014
【図１１】
2007079792.tif 000015
【図１２】
2007079792.tif 000016
【図１３】
2007079792.tif 000017